(57)【要約】【課題】多くの紙片を有するものの、低額に抑えられる往復はがきや巻き封書を提供する。【解決手段】往信用はがきと返信用はがきを連続させた基板紙と、往信用はがきの表面と裏面に、一端が完全接着され、余部が擬似接着された、基板紙と異なる紙厚の表面紙及び裏面紙とからなることを特徴とする往復はがき。【選択図】  図１
2005007833.tif 000002
【特許請求の範囲】
【請求項１】
往信用はがきと返信用はがきを連続させた基板紙と、往信用はがきの表面と裏面に、一端が完全接着され、余部が擬似接着された、基板紙と異なる紙厚の表面紙及び裏面紙とからなることを特徴とする往復はがき。
【請求項２】
表面紙又は裏面紙が往信用はがきを折り返したものであり、往信用はがきと二層テープで接着されたものである請求項１の往復はがき。
【請求項３】
各々紙厚が異なる複数の便箋紙片を重ねて擬似接着し、各々の便箋紙片の一端と基片が完全接着された巻き紙片の巻き片で便箋紙片の周囲を巻いて擬似接着して一定のサイズにしたことを特徴とする巻き封書。
【請求項４】
巻き片の表面に表面紙が完全又は擬似接着された請求項３の巻き封書。
【発明の詳細な説明】
【０００１】
【発明の属する技術分野】
本発明は、多くの情報を秘密に掲載できる多数紙片からなる往復はがき及び巻き封書に関するものである。
【０００２】
【従来の技術】
個人を始め企業や官庁では、往復はがきを用いて特定又は不特定の者に情報を送り、それに対する応えを求めることが行なわれることがある。このような往復はがきは、郵便法及び郵便規則で定める定型、定量のサイズ（以下、定型サイズという）であることが郵送料の低減につながるから、これら往復はがきは、定型サイズでできるだけ多くの情報を掲載できることが望ましい。加えて、これら情報には、他人に見られては具合の悪いものもある。このため、秘密を要する情報は、当該情報が掲載された紙片を擬似接着したりしているが、それには、数多くの紙片を必要とする。
【０００３】
【発明が解決しようとする課題】
そこで、はがき四枚分の紙片を横並びに連続させて用い、これを三カ所折ってその一部を擬似接着又は完全接着して往復はがきの形態にするものが提案されている（実開平４−６３２７９号公報、実開平４−９５７７３号公報、特開平１１−２８６１８９号公報）。これによると、最大八面の紙面が使えることになり、多くの情報が掲載できることになる。しかし、これら先行例のものは、四枚の紙片がすべて同じ紙厚（重量）であることから、郵便法に定める重量（往復はがきで１２ｇ以下）のものにするためには、紙片の重量に制約を受けることになる。即ち、各紙片を３ｇ以下にすると、郵便法による重量はクリアするものの、返信用はがきを十分な厚みのものにできない。又、単に情報を掲載するだけの紙片も同じ厚みを有し、不必要な厚みになって扱い難いといったことがある。
【０００４】
一方、封筒に該当する紙片で便箋部分を包み込んで巻く巻き封書というものもあり、発送作業が容易であって、開封が簡単で、しかも、宛名人に確実に読んで貰えるといった長所があることから、便箋部分を構成する複数の紙片の中に申込はがきや郵便振替用紙の紙片を加えて往復はがきと同様な使われ方をする場合がある。この巻き封書にも、郵便法は適用され、最低の郵送料で済ますには、一定の重量（２５ｇ以下）とサイズが必要である。しかし、これを全て同じ厚みの紙にすると、多くの紙片が綴れないことになる。本発明は、このような課題を解決するものであり、多数紙片からなる往復はがき又は巻き封書の各紙片を異なる紙厚にすることで、用途に応じたものにすることができるようにしたものである。
【０００５】
【課題を解決するための手段】
以上の課題の下、本発明は、請求項１に記載した、往信用はがきと返信用はがきを連続させた基板紙と、往信用はがきの表面と裏面に、一端が完全接着され、余部が擬似接着された、基板紙と異なる紙厚の表面紙及び裏面紙とで構成されたことを特徴とする往復はがきを提供する。本発明に係る往復はがきは、一枚の紙片を折り込むものではなく、複数の紙片を接着して多数紙片にするものであるから、各々紙厚を変えることで、各紙片の用途に応じた最適の紙厚にできる。勿論、所定の紙片同士を擬似接着することで掲載情報を秘密にもできる。
【０００６】
又、本発明は、請求項３に記載した、各々紙厚が異なる複数の便箋紙片を重ねて擬似接着し、各々の便箋紙片の一端と基片が完全接着された巻き紙片の巻き片で便箋紙片の周囲を巻いて擬似接着して一定のサイズにしたことを特徴とする巻き封書を提供する。この巻き封書も、封筒及び便箋部分を構成する各紙片の紙厚を変えたものであるから、用途に応じて最適の紙厚にできる。又、薄い紙を使用することで、便箋部分に該当する紙片の数を増やせ、多くの情報を送ることができる。
【０００７】
【発明の実施の形態】
以下、本発明の実施の形態を図面を参照して説明する。図１は本発明の一例を示す往復はがきの断面図、図２は斜視図であるが、この往復はがきは、往復はがきのサイズを有する基板紙１（２は中央の切取線）と、基板紙１のうちの往信用はがき１ａの表面及び裏面に、これとほぼサイズを揃えて重ねて接着される表面紙３及び裏面紙４とからなる。これにおいて、往信用はがき１ａと表面紙３及び裏面紙４の接着は、表面紙３及び裏面紙４の一端（本例では、切取線２に近い側に設定しているが、逆の場合もある）を往信用はがき１ａの該当部分に完全接着し、余部は擬似接着する。尚、ここでの擬似接着とは、水性エマルジョンタイプのラテックス糊等の特殊接着剤を用いる剥離可能な接着であり、一度剥離すると、再接着しない接着方法をいう。
【０００８】
以上の完全接着は、製本工程で用いられている丁合機によって連続的にできる。例えば、裏面紙４を移送しながら端の完全接着部分に糊を塗布した後、その上に基板紙１を載せ、更に、基板紙１の該当部分に糊を塗布した後、表面紙を載せ、最後に糊の部分をローラ等で押圧すれば、これらが完全接着される。一方、擬似接着も同様であり、表面紙３及び裏面紙４の全面（又は往信用はがき１ａの表裏面）に擬似接着用の糊を塗布しておき、最後に熱圧着すれば擬似接着できる。
【０００９】
以上の往復はがきは、往信はがき１ａと返信用はがき１ｂ及び表面紙３と裏面紙４の合計四紙片で構成されるから、各々の表裏面を使うと、八面に情報を書き込むことができる。従って、多数の情報を掲載、記入することができる。又、この往復はがきは、基板紙１と表面紙３及び裏面紙４の三種類の紙片を用いるから、各々で紙厚を適宜変えることができる。例えば、往信用はがき１ａと返信用はがき１ｂが連続した基板紙１は、腰が強くて郵送中も傷み難い８ｇ（それぞれ４ｇずつ）にし、残りの表面紙３及び裏面紙４は２ｇのものにするようなこともできる。そして、このようにしても、合計で１２ｇとなって郵便法に適合するものとなる。
【００１０】
図３は本発明の他の例を示す往復はがきの断面図であるが、本例のものは、裏面紙４が往信用はがき１ａを折り返したものであり（従って、同じ紙厚）、往信用はがき１ａと二層テープ５で接着されたものである。そして、表面紙３も往信用はがき１ａの表面に二層テープ５で接着されている。尚、ここでの二層テープとは、合わせ面に擬似接着用の糊が、その背面に完全接着用の糊が塗布された二層のテープであり、これを被貼着部材に熱圧着すると、背面同士は完全接着し、合わせ面は擬似接着されて剥離できるものである（剥離したときには、二層テープ５の一方がそれぞれの紙片に残ってラミネートされた状態になる）。二層テープの接着設備は、多くの事業所で採用されているから、既存の設備で行なえる利点がある。
【００１１】
図４は本発明に係る巻き封書の断面図、図５は斜視図であるが、本発明の巻き封書は、巻き紙片６と複数の便箋紙片７とからなる。この場合の巻き紙片６は、基片６ａから巻き片６ｂがＴ字形に延出したものであり、重ねた便箋紙片７の表面に巻き片６ｂの一面を沿わせるとともに、基片６ａの内面と便箋紙片７の一端とを完全接着し、巻き片６ｂで便箋紙片７の周囲を巻いて擬似接着している。尚、各々の便箋紙片７同士も擬似接着して剥離できるようにしている。更に、本例では、巻き片６ｂの他面に表装用の表面紙８を完全又は擬似接着している。
【００１２】
以上の完全接着及び擬似接着も丁合機等によって連続的にできる。即ち、完全接着は、雑誌等の製本に適用される無線綴じやアジロ綴じの製法を利用すればよいし、擬似接着は、上記と同様、便箋紙片７を巻き紙片６で巻いて製本した後に全体を熱又は圧力接着すればよい。以上の巻き封書は、郵便法で定めるサイズにするのは勿論であるし、全体重量も所定のもの（最低料金のものに設定すれば２５ｇ以下）にするのはいうまでもない。
【００１３】
以上の巻き封書によれば、巻き紙片６と各便箋紙片７との紙厚を変えて用途に応じたものできる。例えば、単に情報を掲載するだけの便箋紙片７は薄いものにして多数の枚数を綴って多くの情報を掲載できるようにし、申込はがきや郵便振替用紙といった郵便法の適用を受けるものは所要の紙厚・重量（４ｇ）のものにするといったことが可能である。
【００１４】
【発明の効果】
以上、本発明は、多数紙片からなる往復はがき又は巻き封書の各紙片を異なる紙厚にすることで、用途に応じたものにすることができるようにしたものであるから、多くの紙片を用いて多くの情報を掲載できるし、郵便法による所定（低額）の料金に抑えることができる。そして、各紙片を適宜擬似接着しておけば、秘密情報にして送ることができる。
【図面の簡単な説明】
【図１】本発明の一例を示す往復はがきの断面図である。
【図２】本発明の一例を示す往復はがきの斜視図である。
【図３】本発明の他の例を示す往復はがきの断面図である。
【図４】本発明の一例を示す巻き封書の断面図である。
【図５】本発明の一例を示す巻き封書の斜視図である。
【符号の説明】
１        基板紙
１ａ      往信用はがき
１ｂ      返信用はがき
２        切取線
３        表面紙
４        裏面紙
５        二層テープ
６        巻き紙片
６ａ      基片
６ｂ      巻き片
７        便箋紙片
【図１】
2005007833.tif 000003
【図２】
2005007833.tif 000004
【図３】
2005007833.tif 000005
【図４】
2005007833.tif 000006
【図５】
2005007833.tif 000007